(57)【要約】【課題】商品を台紙に確実に取付けることができると共に、商品を台紙から取り外す際にも使用者に負担をかけることなく行え、え、しかも取り外した商品を所定の物品等に強固に取付けることのできる商品展示体及び商品展示方法を提供する。【解決手段】被接着部１６を一部に有する商品２と、前記被接着部１６が接着される接着部１４を一面に有する台紙１とを備えている。前記接着部１４には粘着層１２が設けられている。前記被接着部１６には前記粘着層１２よりも粘着力が強い強粘着層１５が設けられている。【選択図】図２
2014205516.tif 000002
【特許請求の範囲】
【請求項１】
被接着部を一部に有する商品と、前記被接着部が接着される接着部を一面に有する台紙とを備え、
前記接着部には粘着層が設けられると共に、
前記被接着部には前記粘着層よりも粘着力が強い強粘着層が設けられてなることを特徴とする商品展示体。
【請求項２】
前記台紙が、一面に前記粘着層が形成された裏面シートと、
前記粘着層の一部が露出する孔を有して前記裏面シートの粘着層に接着される表面シートとを備えてなることを特徴とする請求項１記載の商品展示体。
【請求項３】
前記表面シート又は裏面シートのうち何れか一方の厚さが何れか他方の厚さよりも厚く形成されてなることを特徴とする請求項２記載の商品展示体。
【請求項４】
前記商品が、物品の表面に接着されて前記物品を装飾する装飾体であることを特徴とする請求項１〜３の何れか一つに記載の商品表示体。
【請求項５】
前記台紙が吊り下げ可能に構成されてなることを特徴とする請求項１〜４の何れか一つに記載の商品展示体。
【請求項６】
裏面の一部に粘着層が設けられた商品の被接着部を、前記商品の粘着層よりも粘着力が強い強粘着層が設けられた台紙の接着部に接着して前記商品を展示することを特徴する商品展示方法。
【発明の詳細な説明】
【技術分野】
【０００１】
本発明は、例えば家具や窓ガラス、その他観葉植物の園芸植物の葉等に取付けて装飾する装飾体のような、比較的小物の商品を展示する場合において使用される商品展示体及び商品展示方法に関するものである。
【背景技術】
【０００２】
従来、この種の商品展示体としては、例えば特開平１１−１９３０６１号公報記載の発明が存在する。すなわち、この従来の商品展示体は、上側部分に吊下げ孔が形成された所定寸法を有する台紙と、この台紙の下側部分に形成された展示面に取付けられる商品とかなるものであり、商品は台紙の展示面に設けられた粘着テープ又はホットメルト等からなる接着剤を介して固定されている。かかる商品展示体は、例えば商品展示用フックや吊り下げ棒等を台紙の吊下げ孔に挿通した状態で展示される一方、商品購入後等においては商品を台紙から取り外して使用されることになる。
【先行技術文献】
【特許文献】
【０００３】
【特許文献１】特開平１１−１９３０６１号公報
【発明の概要】
【発明が解決しようとする課題】
【０００４】
しかしながら、上記従来の商品展示体は、台紙の展示面に設けられた両面テープ等の粘着力のみによって商品を固定保持するものであるために、十分な接着強度を得ることができないという大なる問題点を有していた。このため、外力等が商品に作用した場合等においては、不用意に商品が台紙から離脱する虞があったのである。これに対して、前記両面テープ等の粘着力を強く設定することは可能であるが、逆に商品を台紙から取り外す際に使用者に多大な負担をかけるという使用上の新たな不都合が生じる結果となる。
【０００５】
それ故に、本発明は、かかる点に鑑みてなされたものであり、その目的とするところは、商品を台紙に確実に取付けることができると共に、商品を台紙から取り外す際にも使用者に負担をかけることなく容易に行え、しかも取り外した商品を所定の物品等に強固に取付けることのできる商品展示体及び商品展示方法を提供することにある。
【課題を解決するための手段】
【０００６】
請求項１に記載の商品展示体は、被接着部を一部に有する商品と、前記被接着部が接着される接着部を一面に有する台紙とを備え、前記接着部には粘着層が設けられると共に、前記被接着部には前記粘着層よりも粘着力が強い強粘着層が設けられてなることを特徴としている。
【０００７】
請求項１に記載の商品展示体にあっては、商品の被接着部に設けられた強粘着層を台紙の接着部に設けられた粘着層に接着することにより、台紙の所定位置に商品が取付けられる。そして、この状態で商品が展示されることになる。
【０００８】
このように、台紙の接着部に設けられた粘着層と商品の被接着部に設けられた強粘着層とを接着することにより商品が台紙に取付けられているために、十分な接着力を確保することができて、商品展示体に多少の外力等が加わっても不用意に商品が台紙から離脱することを低減できる。これにより、商品展示という商品展示体の機能を十分に発揮し得ることになる。
【０００９】
また、前記商品を使用する場合は、先ず台紙の粘着層から商品の強粘着層を剥離して取り外される。この場合、商品の被接着部は強粘着層で構成されているものの、かかる強粘着層は商品の一部である被接着部のみに設けられており、且つ台紙の粘着層はその粘着力が弱いために、剥離に際して台紙に損傷を与えるような不都合はなく、使用者は商品を台紙から容易に取り外すことができる。
【００１０】
また、台紙から取り外した商品はその強粘着層を利用して、接着すべき物品等に接着固定されることになる。この場合において、商品の強粘着層はその粘着力が確保されているために、物品等から不用意に離脱するようなことは殆どなく、長期間に渡ってその機能を十分に発揮することが可能になるのである。
【００１１】
請求項２に記載の商品展示体は、請求項１記載の商品展示体において、前記台紙が、一面に前記粘着層が形成された裏面シートと、前記粘着層の一部が露出する孔を有して前記裏面シートの粘着層に接着される表面シートとを備えてなることを特徴とする。
【００１２】
請求項２に記載の商品展示体にあっては、裏面シートに形成された粘着層の一部が表面シートに設けた孔を介して露出することになり、これに商品の被接着部に設けた強粘着層が接着される。台紙は裏面シートに粘着層に表面シートを接着するだけで製作できるために、例えば１枚にシート材の所定位置に粘着層を設ける場合と比較して、その製作が容易に行える。また、商品を台紙から取り外した場合、台紙には粘着層が孔から露出することになるが、孔自体は小面積であると共に、粘着層の粘着力は弱く設定されているために、例えば他の商品の剥離作業に支障を与えたり、異物等が不当に付着するような事態も良好に回避することができる。
【００１３】
請求項３に記載の商品展示体は、請求項２記載の商品展示体において、前記表面シート又は裏面シートのうち何れか一方の厚さが何れか他方の厚さよりも厚く形成されてなることを特徴とする。
【００１４】
請求項３に記載の商品展示体にあっては、表面シート又は裏面シートのうち何れか一方の厚さが何れか他方の厚さよりも厚く形成されてなるために、厚みのある表面シート又は裏面シートの何れかが台紙の芯材的な役割を果たすことになり、商品展示体自体の強度を十分に確保することができる。これによって、商品の取り外し作業が容易に行うことが可能になる。
【００１５】
請求項４に記載の商品展示体は、請求項１〜３の何れか一つに記載の商品表示体において、前記商品が、物品の表面に接着されて前記物品を装飾する装飾体であることを特徴とする。
【００１６】
請求項４に記載の商品展示体にあっては、台紙から取り外した装飾体はその強粘着層を介して、装飾すべき物品等に接着固定される。この場合において、装飾体の強粘着層はその粘着力が十分に確保されているので、装飾体は物品等に強固に固定され、長期間に渡ってその装飾機能を発揮することになる。
【００１７】
請求項５に記載の商品展示体は、請求項１〜４の何れか一つに記載の商品展示体において、前記台紙が吊り下げ可能に構成されてなることを特徴とする。
【００１８】
請求項５に記載の商品展示体にあっては、台紙が例えば商品展示用フックや吊り下げ棒等に吊り下げられた状態で商品が展示されることになる。このような展示形態にあっても、商品はその強粘着層と台紙の粘着層との接着によって、良好な吊り下げ状態を維持することができる。また、商品の展示形態が拡大することになる。
【００１９】
請求項６に記載の商品展示方法は、裏面の一部に粘着層が設けられた商品の被接着部を、前記商品の粘着層よりも粘着力が強い強粘着層が設けられた台紙の接着部に接着して前記商品を展示することを特徴する。
【００２０】
請求項６に記載の商品展示方法にあっては、商品の被接着部に設けられた強粘着層が台紙の接着部に設けられた粘着層に接着された状態で、台紙の所定位置に商品が取付けられ、この状態で商品が展示されることになる。
【００２１】
このように、台紙の接着部に設けられた粘着層と商品の被接着部に設けられた強粘着層とが接着されることにより、商品が台紙に取付けられるために、十分な接着力を確保することができて、商品展示体に多少の外力等が加わっても不用意に商品が台紙から離脱することが軽減される。これにより、商品展示という機能を十分に発揮し得ることになる。
【発明の効果】
【００２２】
本発明によれば、商品を台紙に確実に取付けることができると共に、商品を台紙から取り外す際にも使用者に負担をかけることなく行え、しかも取り外した商品を所定の物品等に強固に取付けることのできる商品展示体及び商品展示方法を提供することができる。
【図面の簡単な説明】
【００２３】
【図１】本発明に係る商品展示体を示す斜視図である。
【図２】台紙から一部の商品を取り外した状態を示す斜視図である。
【図３】商品展示体を分解した状態を示す斜視図である。
【図４】商品である装飾体を示し、（ａ）は正面図で、（ｂ）は背面図で、（ｃ）は側面図で、（ｄ）は要部拡大側面図である。
【図５】商品展示体の接着部分を示す拡大断面図である。
【図６】商品展示体の接着部分を示す拡大断面図である。
【図７】商品の使用状態を示す斜視図である。
【図８】他の実施形態に係る商品を示し、（ａ）は正面図で、（ｂ）は背面図で、（ｃ）は側面図である。
【図９】他の実施形態の商品展示体を示す斜視図である。
【図１０】他の実施形態の台紙から一部の商品を取り外した状態を示す斜視図である。
【図１１】他の実施形態の商品展示体を分解した状態を示す斜視図である。
【発明を実施するための形態】
【００２４】
以下、本発明に係る商品展示体の一実施形態について、図面に従って説明する。図１及び図２に示すように、商品展示体Ａはシート状の台紙１と、この台紙１の表面側に接着される商品２としての複数の装飾体とを備えている。
【００２５】
台紙１は、図３に示すように、夫々矩形状に形成された表裏一対のシート１０、１１からなる二層構造で構成されている。裏面シート１１の一面側には接着剤が全面に塗布された粘着層１２が設けられており、この粘着層１２介して表面シート１０が重合状態で接着されている。裏面シート１１の厚さは表面シート１０の厚さよりも厚いシート材で構成されている。裏面シート１１は、例えばボール紙等のような厚紙からなっており、このため台紙１自体の芯材として機能することになる。表面シート１０の中央部には長手方向に所定間隔を有して複数の長孔１３が形成されている。この長孔１３は、例えば円形の孔で構成することも可能であり、その具体的な形状は問うものではない。尚、図２に示すように、表裏の両シート１０、１１を接着した重合状態にある台紙１は、その表面シート１０の長孔１３を介して裏面シート１１の粘着層１２が露出することになるが、この露出した粘着層１２の部位が台紙１の接着部１４として構成される。また、表面シート１０の表面には必要に応じて所望の印刷等が施される場合がある。
【００２６】
本実施形態に係る商品２は、図４に示すように、蝶々の形状を模した所謂装飾体で構成されており、例えば合成フィルムや合成紙等の合成樹脂材料を原料として製造された薄手のシート材で形成されている。商品２の裏面中央の一部には前記表面シート１０の長孔１３の形状に略対応した形状を有する強粘着層１５が設けられており、この強粘着層１５が設けられている商品２の部位が被接着部１６として構成される。
【００２７】
かかる強粘着層１５は、そのステンレス鋼板（ＳＰ）粘着力が２００〜３０００ｇｆ／２５ｍｍの範囲内にあるアクリル系二液架橋型の感圧性接着剤で構成されている。また、前記台紙１の粘着層１２は、その粘着力が１０〜５００ｇｆ／２５ｍｍの範囲内にあるアクリル系二液架橋型の再剥離型感圧性接着剤で構成されている。このように、商品２の強粘着層１５は台紙１の粘着層１２よりも強い粘着力を有するように設定している。尚、ここでいう粘着力とは、ＪＩＳ  Ｚ  ０２３７（粘着テープ・粘着シート試験方法）に準じて測定した両面テープ若しくはシートと冷間圧延ステンレス鋼板との常態における１８０°引剥がし時の粘着力をいう。
【００２８】
商品２は、図５に示すように、その強粘着層１５を台紙１の長孔１３に対向するように配置した状態で、図６に示すように、台紙１の接着部１４に位置する粘着層１２に接着して取付けられる。図１は、このようにして複数の商品２を台紙１に取付けた状態を示しており、これにより商品展示体Ａが形成される。そして、商品展示体Ａはこの状態で、或いは複数の商品展示体Ａを包装フィルム等に収納した状態で展示されることになる。
【００２９】
このような構成からなる商品展示体Ａ及び商品展示方法にあっては、台紙１の接着部１４に設けた粘着層１２と商品２の被接着部１６に設けた強粘着層１５とを接着することにより、商品２が台紙１に取付けられているために、十分な接着力を確保することができて、商品展示体Ａに多少の外力等が加わっても不用意に商品２が台紙１から離脱することが軽減される。これにより、商品展示という商品展示体Ａの機能を十分に発揮し得ることになり、この種の商品展示体及び商品展示方法としては最適なものである言うことができる。
【００３０】
次に、商品展示体Ａにおける商品２を使用する場合について説明する。先ず、台紙１の粘着層１２から商品２である装飾体の強粘着層１５を剥離して取り外す。この場合において、商品２の被接着部１６は強粘着層１５で構成されているものの、かかる強粘着層１５は商品２の一部である小面積の被接着部１６のみに設けられており、且つ台紙１の粘着層１２は粘着力が弱い接着剤で構成してなるために、剥離に際して台紙１に損傷を与えるような不都合はなく、使用者は商品２を台紙１から容易に取り外すことができる。一方、商品２を取り外した台紙１には粘着層１２の一部が長孔１３から露出することになるが、接着部１４自体は小面積であると共に、粘着層１２の粘着力は弱く設定されているために、他の商品２の剥離作業に支障を与えたり、異物等が不当に付着するような事態を良好に回避することができる。
【００３１】
そして、台紙１から取り外した商品２はその強粘着層１５を利用して、例えば図７に示すように装飾すべき窓２０の所望位置に接着固定される。この場合において、商品２の強粘着層１５はその粘着力が確保されているために、窓２０から不用意に離脱するようなことは殆どなく、長期間に渡ってその装飾機能を十分に発揮することができる。
【００３２】
また、本実施形態に係る商品展示体Ａは全体の構成が非常に簡易であるために、その取扱いが極めて容易であると共に、安価にその製作が行えるという実用的な利点も有している。
【００３３】
なお、上記実施形態においては、台紙１の粘着層１２及び商品２の強粘着層１５を構成する具体的な接着剤の種類及びその粘着力の範囲を具体的に示したが、本発明は決してこれに限定されるものではない。要は、商品２の強粘着層１５の粘着力が台紙１の粘着層１２の粘着力よりも強ければ良く、具体的な接着剤の種類やその粘着力の範囲は問わない。
【００３４】
上記実施形態では、台紙１として表裏一対のシート１０、１１からなる二層構造のものを使用したが、本発明はこれに限られるものではない。台紙１は、単層構造のものであっても良く、この場合は例えば台紙１の表面に所定間隔を有して点状に複数の接着部１４を設け、これに粘着層１２を形成するように構成することが可能である。
【００３５】
また、台紙１を二層構造で構成する場合においては、上記実施形態のように表面シート１０又は裏面シート１１のうち何れか一方の厚さを何れか他方の厚さよりも厚く形成することにより、厚さのある一方のシートが台紙１の芯材的な働きをするために、商品２の台紙１への着脱作業が容易に行えるという利点が得られるが、必ずしもこのように構成する必要はない。
【００３６】
上記実施形態では、商品２として蝶々からなる装飾体を一例に挙げて説明したが、本発明が適用可能な商品２の種類は決してこれに限定されない。例えば、商品２は図８に示す物品吊下用のフックのような商品２であってもよい。このフックは湾曲した金属又は合成樹脂等からなる本体２ａの背面の一部に形成した被接着部１６に強粘着層１５を設けたものである。台紙１、接着部１４及び粘着層１２等の形状は相違するものの、この場合も図９〜図１１に示すように、その具体的な構成は上記実施形態と同様である。このため、これらの各図においても上記実施形態と同様の符号を付して、その説明は省略する。
【００３７】
また、台紙１の所定位置には、例えば商品展示用フックや吊り下げ棒等を挿通して吊り下げ可能な吊下げ孔や横方向に切欠を設けても構わない。この場合、台紙１は例えば吊り下げ棒やフック等に吊り下げられた状態で商品２が展示されることになる。このような展示形態にあっても、商品２はその強粘着層１５と台紙１の粘着層１２との接着によって、良好な吊り下げ状態を維持することが可能である。また、商品の展示形態が拡大することになる。
【００３８】
その他、台紙１の外観形状や台紙１に取付ける商品２の数、その他各部の具体的な構成も本発明が意図する範囲内において任意に設計変更自在である。
【符号の説明】
【００３９】
１    台紙
２    商品
１２    粘着層
１４    接着部
１５    強粘着層
１６    被接着部
【図１】
2014205516.tif 000003
【図２】
2014205516.tif 000004
【図３】
2014205516.tif 000005
【図４】
2014205516.tif 000006
【図５】
2014205516.tif 000007
【図６】
2014205516.tif 000008
【図７】
2014205516.tif 000009
【図８】
2014205516.tif 000010
【図９】
2014205516.tif 000011
【図１０】
2014205516.tif 000012
【図１１】
2014205516.tif 000013